(57)【要約】【課題】  図柄の見た目を向上させた遊技用表示装置を提供することにある。【解決手段】  遊技用表示装置は、遊技機の入賞役の当選結果を表示するための図柄を回転させるリール１を構成し、帯状のフィルムが円筒形状に形成され、図柄が表示されたリールフィルム１１と、円筒形状部分の表面にリールフィルム１１が取り付けられ、リールフィルム１１の少なくとも図柄が表示された部分と密着しない形状のリール本体１２と備える。【選択図】図３
2019136465.tif 000002
【特許請求の範囲】
【請求項１】
遊技機の入賞役の当選結果を表示するための図柄を回転させるリールを構成し、帯状のフィルムが円筒形状に形成され、前記図柄が表示されたリールフィルムと、
円筒形状部分の表面に前記リールフィルムが取り付けられ、前記リールフィルムの少なくとも前記図柄が表示された部分と密着しない形状のリール本体と
を備えることを特徴とする遊技用表示装置。
【請求項２】
前記リール本体は、前記リールフィルムと前記円筒形状部分の前記リールフィルムと密着しない表面との間の隙間が、前記隙間が無くなるまで前記リールフィルムを押しても塑性変形しない深さであること
を特徴とする請求項１に記載の遊技用表示装置。
【請求項３】
前記リール本体は、前記リールフィルムの少なくとも前記図柄が表示された部分と密着しないように、前記円筒形状部分の表面に前記リールフィルムを貼り付けるための貼付部が盛り上げられたこと
を特徴とする請求項１に記載の遊技用表示装置。
【請求項４】
前記貼付部は、円筒形状に形成された前記リールフィルムの両端に設けられたこと
を特徴とする請求項３に記載の遊技用表示装置。
【請求項５】
前記リール本体は、前記貼付部と前記リールフィルムと密着しない表面との間が段差にならないようにスロープを設けた形状であること
を特徴とする請求項３に記載の遊技用表示装置。
【請求項６】
入賞役の当選結果を表示するための図柄を回転させるリールを構成し、帯状のフィルムが円筒形状に形成され、前記図柄が表示されたリールフィルムと、
円筒形状部分の表面に前記リールフィルムが取り付けられ、前記リールフィルムの少なくとも前記図柄が表示された部分と密着しない形状のリール本体と
を備えることを特徴とする遊技機。
【発明の詳細な説明】
【技術分野】
【０００１】
本発明は、遊技機に用いられる表示装置に関する。
【背景技術】
【０００２】
一般に、パチンコ機又はパチスロ機等の遊技機において、入賞役の当選結果を表示するための図柄が印刷されたリールを回転させる演出が行われる。また、ハーフミラーを用いて、図柄を視認し難くする演出を行うことが開示されている（特許文献１参照）。
【先行技術文献】
【特許文献】
【０００３】
【特許文献１】特許第４０６００４５号公報
【発明の概要】
【発明が解決しようとする課題】
【０００４】
しかしながら、遊技機で表示される図柄は、遊技機に実装される前の図柄と比較すると、見た目が変わることがある。
【０００５】
本発明の実施形態の目的は、図柄の見た目を向上させた遊技用表示装置を提供することにある。
【課題を解決するための手段】
【０００６】
本発明の観点に従った遊技用表示装置は、遊技機の入賞役の当選結果を表示するための図柄を回転させるリールを構成し、帯状のフィルムが円筒形状に形成され、前記図柄が表示されたリールフィルムと、円筒形状部分の表面に前記リールフィルムが取り付けられ、前記リールフィルムの少なくとも前記図柄が表示された部分と密着しない形状のリール本体とを備える。
【発明の効果】
【０００７】
本発明の実施形態によれば、図柄の見た目を向上させた遊技用表示装置を提供することができる。
【図面の簡単な説明】
【０００８】
【図１】本発明の実施形態に係るリールユニットの構成を示す分解斜視図。
【図２】本実施形態に係るリールの構成を示す分解図。
【図３】本実施形態に係るリール本体の貼付部の形状を示す断面図。
【図４】本実施形態に係る表示装置の構成を示す簡略図。
【発明を実施するための形態】
【０００９】
（実施形態）
図１は、本発明の実施形態に係るリールユニット１０の構成を示す分解斜視図である。図２は、本実施形態に係るリール１の構成を示す分解図である。なお、図面における同一部分には同一符号を付して、異なる部分を主に説明する。
【００１０】
リールユニット１０は、様々な図柄が表示されたリール１を回転させることで、遊技者が見る遊技機の表示面に表示される図柄を次々と変えるための装置である。例えば、遊技機は、パチンコ機又はパチスロ機等であり、当選した入賞役に応じて、玉、メダル又はコインなどの賞品が払い出される。
【００１１】
リールユニット１０は、リール１及びリール基板２を備える。
【００１２】
リール１は、リールユニット１０における回転する部分である。リール１は、リールフィルム１１及びリール本体１２を備える。
【００１３】
リールフィルム１１は、帯状の樹脂フィルムをリール本体１２に巻き付けることにより円筒形状に形成される。リールフィルム１１は、外側（表面）がハーフミラーであり、内側（裏面）に図柄が印刷される。リールフィルム１１のハーフミラーは、画像を投影するスクリーンになる。なお、図柄は、リールフィルム１１に表示されるのであれば、印刷に限らず、シールのように貼り付けてもよいし、その他のどのような手法を用いてもよい。また、リールフィルム１１の外側は、ハーフミラーでなくてもよいし、図柄がリールフィルム１１の外側に印刷されてもよい。
【００１４】
リール本体１２は、リールフィルム１１が取り付けられ、リール１の土台となる部分である。リール本体１２は、円筒形状部分１２０の空洞の中心部にハブ１２１が位置し、ハブ１２１から放射状に延びる複数の棒状のスポーク１２２が円筒形状部分１２０とハブ１２１とを接続した形状である。リール本体１２は、例えば樹脂である。
【００１５】
リール基板２は、リールユニット１０において、リール１の回転に対して固定される部分である。リール基板２は、基板本体２１、モータユニット２２、複数のリール照明２３、及び、支持部材２４を備える。
【００１６】
基板本体２１は、モータユニット２２、リール照明２３、及び、これらを制御するためのチップなどが実装される基板である。基板本体２１は、実装された各部品に電源を供給する。
【００１７】
モータユニット２２は、リール１を回転させるための動力源となるモータが実装されたユニットである。モータユニット２２の回転軸には、リール１のハブ１２１が取り付けられる。
【００１８】
複数のリール照明２３は、遊技機の表示面に表示されるリール１の表面の箇所（図柄等）をリール１の内側から照らすように配置される。各リール照明２３は、複数の発光素子（例えば、発光ダイオード）をアレイ状に配置した構成である。リール照明２３が点灯されることにより、リールフィルム１１に印刷された図柄が表示面に明確に表示される。リール照明２３が消灯されることにより、リールフィルム１１のハーフミラーに投影される画像が表示面に明確に表示される。なお、複数のリール照明２３は、リールフィルム１１の側面から照らすように設けられてもよい。
【００１９】
支持部材２４は、モータユニット２２及びリール照明２３などの部品を所定の位置に固定するように支持したり、リール１をリール基板２に回転可能に支持したりするための部材である。支持部材２４は、いくつの部材で構成されてもよい。
【００２０】
図３は、本実施形態に係るリール本体１２の貼付部ＧＬの形状を示す断面図である。
【００２１】
リール本体１２の表面（曲面）の幅方向（リール１の回転軸と平行の方向）の両端のそれぞれには、リールフィルム１１を貼り付けるために盛り上げられた貼付部ＧＬが設けられる。図３に示す回転軸と平行に切断した断面から見ると、貼付部ＧＬの表面は、リールフィルム１１と密着するように、平らに（回転軸から一定の高さに）形成される。リール本体１２の表面は、貼付部ＧＬの表面が一番高く盛り上がるように形成され、幅方向の中央に向かうにつれ、段々低くなるようにスロープＳＬが形成される。リール本体１２の表面の貼付部ＧＬ及びスロープＳＬ以外の幅方向の中央部分は、回転軸の中心から一番低い表面ＰＬに形成される。
【００２２】
この表面ＰＬには、リール本体１２に巻き付けられるリールフィルム１１に印刷された図柄が位置する。このように、リール本体１２の表面の両端が盛り上がるように貼付部ＧＬを設けることにより、リールフィルム１１に印刷された図柄及びその周辺部分とリール本体１２の表面との間には隙間ＳＰができる。
【００２３】
ここで、リールフィルム１１がリール本体１２の表面に密着すると、図柄及びその周辺の色の見た目が変化する。具体的には、リールフィルム１１が水に濡れたような印象を与えるように色が変化する。そこで、上述のように貼付部ＧＬを設けることで、このような色の変化を防止する。
【００２４】
図４は、本実施形態に係る表示装置２０の構成を示す簡略図である。
【００２５】
表示装置２０は、遊技機に用いられ、遊技者が見る表示面に図柄を表示するための装置である。表示装置２０は、３つのリールユニット１０及び画像投影装置３を備える。なお、表示装置２０は、１以上のいくつのリールユニット１０を備えてもよい。
【００２６】
３つのリールユニット１０は、それぞれ個別に回転するように制御される。３つのリールユニット１０がそれぞれ表示する図柄の組合せにより、遊技機の入賞役の当選結果が示される。
【００２７】
画像投影装置３は、３つのリールユニット１０のリールフィルム１１の表面であるハーフミラーをスクリーンとして、画像を投影するための装置である。画像投影装置３は、例えば、プロジェクタである。３つのリールユニット１０のそれぞれのハーフミラーは、別々のスクリーンとしてもよいし、合わせて１つのスクリーンとしてもよいし、これらを切り替えられるようにしてもよい。画像投影装置３は、予め決められたタイミングで、予め記憶された画像をスクリーンに投影する。このとき、画像投影装置３は、曲面になっているスクリーンに投影された画像が歪まずに正しく表示されるように、投影する画像を補正してもよい。
【００２８】
画像投影装置３は、画像を投影するタイミングをどのように決定してもよい。例えば、入賞役を当選させる否かを決定する抽選の過程又は結果に基づいて決定してもよいし、遊技時間又は遊技者の操作入力に応じて決定してもよい。また、画像投影装置３は、リール１の回転中又は停止中のいずれで、画像を投影してもよい。
【００２９】
通常時は、リール照明２３を点灯することで、各リールユニット１０に印刷された図柄が明確に表示される。画像投影装置３が画像を投影するときは、リール照明２３を消灯することで、各リールユニット１０のハーフミラーをスクリーンとして機能させる。画像投影装置３が投影する画像は、動画又は静止画のどちらでもよい。また、画像投影装置３は、リールフィルム１１に印刷された図柄と組合せるように画像を投影してもよい。
【００３０】
本実施形態によれば、リール本体１２のリールフィルム１１の貼付部ＧＬを他の表面よりも盛り上がる形状にすることで、リールフィルム１１の図柄及びその付近が表面と密着しないようにする。これにより、リールフィルム１１の図柄等がリール本体１２の表面と密着して、見た目が変化することを防止することができる。
【００３１】
また、隙間ＳＰを接触しない範囲でなるべく狭くすることで、リールフィルム１１の外側から押されても、リールフィルム１１の内側が表面ＰＬで抑えられる。これにより、外部からリールフィルム１１に予期しない外力が加わっても、リールフィルム１１が破けることを防止できる。ここで、隙間ＳＰの深さを、隙間ＳＰが無くなるまでリールフィルム１１を押しても塑性変形しない深さにすることで、リールフィルム１１の塑性変形も防止できる。このように、リールフィルム１１の外力による耐久力が増加することで、例えば、製造工程における不良率が低減される。
【００３２】
さらに、貼付部ＧＬと表面ＰＬの間が段差にならないようにスロープＳＬを設けることで、リールフィルム１１が押されたときに、段差の角に押し付けられないため、リールフィルム１１が塑性変形し難い。
【００３３】
また、本実施形態のように、リール本体１２を円筒形状部分１２０があるような形状にすることにより、リールフィルム１１が破損し難くなり、リールフィルム１１にあまり剛性を持たせなくてもよい。これにより、図柄の変色の防止とリールフィルム１１の選択自由度の確保を同時に行うことができる。例えば、リール本体１２は、リールフィルム１１の両端部分のみを支えるような形状でも、リールフィルム１１を保持する役割は果たせるため、円筒形状部分１２０が無い骨組みだけのような形状も考えられる。しかし、リール本体１２をこのような形状にした場合には、リールフィルム１１に、ある程度高い剛性を持たせる必要がある。
【００３４】
なお、本実施形態では、貼付部ＧＬをリール本体１２の表面の両端とした。これは、リールフィルム１１の中央部に図柄が配置されるのが普通であるため、貼付部ＧＬをリール本体１２の表面の両端とするのが好適だからである。但し、リールフィルム１１の少なくとも図柄がリール本体１２の表面と密着しなければ、何処に設けてもよい。例えば、貼付部ＧＬがリールフィルム１１の円周方向に隣接する２つの図柄の間の余白部分に位置するように設けてもよい。また、リールフィルム１１の少なくとも図柄が密着しない形状であれば、リール本体１２をどのような形状にしてもよい。
【００３５】
また、裏面に図柄を表示させたフィルムの表面をハーフミラーにしたリールフィルム１１を用いることで、１つのリールフィルム１１で、図柄を表示させるためのフィルムとハーフミラーを兼用させることができる。したがって、スクリーンを別途に設けなくても、このハーフミラーをスクリーンとして画像を投影することができる。これにより、表示装置２０は、リール１に新しい演出をするための画像を表示することができる。さらに、スクリーンを別途に設けた場合と比較して、表示装置２０の構成の簡易化、小型化、又は、軽量化がし易くなる。
【００３６】
なお、本発明は上述した実施形態に限定されず、構成要素を削除、付加又は変更等をしてもよい。また、複数の実施形態について構成要素を組合せ又は交換等をすることで、新たな実施形態としてもよい。このような実施形態が上述した実施形態と直接的に異なるものであっても、本発明と同様の趣旨のものは、本発明の実施形態として説明したものとして、その説明を省略している。
【符号の説明】
【００３７】
１…リール、２…リール基板、１０…リールユニット、１１…リールフィルム、１２…リール本体、２１…基板本体、２２…モータユニット、２３…リール照明、２４…支持部材。
【図１】
2019136465.tif 000003
【図２】
2019136465.tif 000004
【図３】
2019136465.tif 000005
【図４】
2019136465.tif 000006